(57)【要約】【課題】  ユーザが両面印字中に誤って片面のみ印字された記録紙を抜き取ってしまうことで、実際は記録紙が抜き取られただけで搬送路内にジャムを起こした記録紙は存在してはおらずジャム処理を行う必要がないのだが、排紙反転動作が行えなくなり画像形成装置がジャムと判断して停止してしまうので、ユーザがジャム処理をし、画像形成装置の動作を再開させなければならなかった。【解決手段】  排紙反転動作を行っている用紙をユーザが誤って抜き取ってしまった場合も、ジャムとはせずにそのまま印字動作を継続し抜き取られた用紙のリカバリ印刷を行うことにより排紙反転を行う画像形成装置の使い勝手を向上させる。【選択図】  図3
2007334077.tif 000002
【特許請求の範囲】
【請求項１】
排紙反転機構を用いて両面プリントを行う画像形成装置において、排紙反転動作中はユーザに排紙反転中の記録紙に触れない旨を伝える為の通知手段を用いてユーザに通知する画像形成装置。
【請求項２】
排紙反転機構を用いて両面プリントを行う画像形成装置において、排紙反転部で反転動作中の記録紙が抜き取られたかどうかを判定する判断手段を有し、前記判断手段で、記録紙が抜き取られたと判断したときは、抜き取られた記録紙に記録されていた画像から再度両面印字を行うことを特徴とする画像形成装置。
【請求項３】
排紙反転機構を用いて両面プリントを行う画像形成装置において、排紙反転部で反転動作中の記録紙が抜き取られたかどうかを判定する判断手段を有し、前記判断手段で、記録紙が抜き取られたと判断したときは、抜き取られた記録紙の反対の面に印字する予定であった画像を次ページに片面印字して出力することを特徴とする画像形成装置。
【請求項４】
排紙反転機構を用いて両面プリントを行う画像形成装置において、排紙反転部で反転動作中の記録紙が抜き取られたかどうかを判定する判断手段を有し、前記判断手段で、記録紙が抜き取られたと判断したときは、抜き取られた記録紙に記録されていた画像から再度両面印字を行うか、もしくは、抜き取られた記録紙の反対の面に印字する予定であった画像を次ページに片面印字して出力するかのいずれかをユーザが設定することが可能な設定手段を備えたことを特徴とする請求項２、３に記載の画像形成装置。
【発明の詳細な説明】
【技術分野】
【０００１】
本発明は、排紙反転機構を用いて両面印字を行う画像形成装置に関する。
【背景技術】
【０００２】
従来は両面印字を行う画像形成装置において、記録紙を反転する際に画像形成装置の排紙部に記録紙の大半の部分を一度排出し、その後排紙ローラは逆回転させて、記録紙を引き戻すことにより記録紙を反転させ（排紙反転）、反転させた記録紙を再度画像形成動作を行うことで両面印字を行う画像形成装置があった。
【特許文献１】特開平05-131696
【発明の開示】
【発明が解決しようとする課題】
【０００３】
排紙部に記録紙の大半の部分を一旦排紙部から排出してから反転動作を行う為、ユーザが両面印字中の記録紙に触れることが出来てしまう。
【０００４】
その為、ユーザが排紙反転中の記録紙に触ってしまうことで搬送不良が起こったり、ユーザが誤って片面のみ印字された記録紙を抜き取ってしまうことで、実際は記録紙が抜き取られただけで搬送路内にジャムを起こした記録紙は存在してはおらずジャム処理を行う必要がないのだが、排紙反転動作が行えなくなり画像形成装置がジャムと判断して停止してしまうので、ユーザがジャム処理(カバーの開閉)をし、画像形成装置の動作を再開させなければならなかった。
【課題を解決するための手段】
【０００５】
請求項１の発明は、排紙反転機構を用いて両面プリントを行う画像形成装置において、排紙反転動作中はユーザに排紙反転中の記録紙に触れない旨を伝える為の通知手段を用いてユーザに通知する画像形成装置。
【０００６】
請求項２の発明は、排紙反転機構を用いて両面プリントを行う画像形成装置において、排紙反転部で反転動作中の記録紙が抜き取られたかどうかを判定する判断手段を有し、前記判断手段で、記録紙が抜き取られたと判断したときは、抜き取られた記録紙に記録されていた画像から再度両面印字を行うことを特徴とする画像形成装置。
【０００７】
請求項３の発明は、排紙反転機構を用いて両面プリントを行う画像形成装置において、排紙反転部で反転動作中の記録紙が抜き取られたかどうかを判定する判断手段を有し、前記判断手段で、記録紙が抜き取られたと判断したときは、抜き取られた記録紙の反対の面に印字する予定であった画像を次ページに片面印字して出力することを特徴とする画像形成装置。
【０００８】
請求項４の発明は、請求項２、３において、排紙反転機構を用いて両面プリントを行う画像形成装置において、排紙反転部で反転動作中の記録紙が抜き取られたかどうかを判定する判断手段を有し、前記判断手段で、記録紙が抜き取られたと判断したときは、抜き取られた記録紙に記録されていた画像から再度両面印字を行うか、もしくは、抜き取られた記録紙の反対の面に印字する予定であった画像を次ページに片面印字して出力するかのいずれかをユーザが設定することが可能な設定手段を備えたことを特徴とする。
【発明の効果】
【０００９】
以上のように、画像形成装置が排紙反転動作を行っているときにユーザに対して警告の通知をすることにより、ユーザが排紙反転中の用紙を抜き取ってしまうことを防止することができ、また排紙反転動作を行っている用紙をユーザが誤って抜き取ってしまった場合も、ジャムとはせずにそのまま印字動作を継続し抜き取られた用紙のリカバリ印刷を行うことにより排紙反転を行う画像形成装置の使い勝手を向上させることができる。
【発明を実施するための最良の形態】
【００１０】
下記に本発明の実施形態について、図面にて詳細に説明する。
【実施例１】
【００１１】
各請求項に対する実施例の説明をする前に図２を用いて、排紙反転機構を用いた両面プリント動作と排紙反転時に記録紙が抜かれたことを検知する為の検知手段について説明する。
【００１２】
排紙反転を用いた両面プリント動作は給紙トレイ/カセットから記録紙が給紙されるとレジローラを通過し画像形成部で、記録紙に画像が転写される。画像が転写された記録紙が定着部を通過し転写像が定着される。
【００１３】
記録紙の後端が排紙反転ローラを抜ける所定長さ手前まで排出方向に搬送し、その後搬送方向を逆転させ両面搬送路に記録紙を送る。排紙反転さてれ送られてきた記録紙を搬送する。
【００１４】
前述の通り、反転した記録紙を再びレジローラから通過させ画像形成部に送り、反対側の面にも画像を転写する。反対側の面に転写された画像を定着部を通し定着させる。
【００１５】
表裏に画像がプリントされた記録紙を排紙反転ローラで排出方向に搬送し排出する。排出された記録紙は排紙トレイに積載される。
【００１６】
次に警告を通知する手段についての実施例を説明する。
前述の通り両面プリント動作を開始し、片面印字された記録紙の先端が定着部を抜け排紙ローラ近傍(記録紙の搬送方向を逆にする際に紙無しを検知しない位置)に取り付けられている反転センサで紙有りを検知したところから「排紙反転動作中」と認識して画像形成装置に備えられた表示部に「反転中の用紙に触らないで下さい」等の警告メッセージの表示を行う。
【００１７】
その後、排紙反転ローラを逆回転させ両面搬送路に引き込み記録紙の後端が反転センサを抜けて反転センサで紙無しを検知したときに「排紙反転動作終了」と認識して表示部に表示していた警告メッセージの表示を止める。
【００１８】
なお、前記警告を通知する手段として画像形成装置に備えられている表示部を用いたが、これに限定するものではなく、接続先のPC端末に警告メッセージを表示させたり、LEDの点灯等を用いても良い。
【実施例２】
【００１９】
図３の本発明についての実施例２を説明する。
前述の通り両面プリント動作を開始し、片面印字された記録紙の先端が定着部を抜け排紙ローラ近傍(記録紙の搬送方向を逆にする際に紙無しを検知しない位置)に取り付けられている反転センサで紙有りを検知する。
【００２０】
反転センサで紙有りを検知してから排紙反転ローラを逆回転させて正常に搬送が行われて反転センサが紙無しを検知する所定時間よりも短い時間内に反転センサで紙無しを検知した場合に記録紙が抜き取られたと判断する。
【００２１】
紙が抜き取られたと判断した場合は、図３のように抜き取られた記録紙にプリントされた画像から再度両面プリントを行い、次頁以降は通常通りプリントを継続する。
【実施例３】
【００２２】
図４の本発明についての実施例３を説明する。
前述の通り両面プリント動作を開始し、片面印字された記録紙の先端が定着部を抜け排紙ローラ近傍(記録紙の搬送方向を逆にする際に紙無しを検知しない位置)に取り付けられている反転センサで紙有りを検知する。
【００２３】
反転センサで紙有りを検知してから排紙反転ローラを逆回転させて正常に搬送が行われて反転センサが紙無しを検知する所定時間よりも短い時間内に反転センサで紙無しを検知した場合に記録紙が抜き取られたと判断する。
【００２４】
紙が抜き取られたと判断した場合は、図４のように抜き取られた記録紙の裏面にプリントされる予定であった画像を次の記録紙に片面プリントを行い排出し、次頁以降は通常通りプリントを継続する。
【実施例４】
【００２５】
排紙反転部で反転動作中の記録紙が抜き取られたかどうかを判定する判断手段を有し、前記判断手段で、記録紙が抜き取られたと判断したときは、図３のように抜き取られた記録紙に記録されていた画像から再度両面印字を行うか、もしくは、図４のように抜き取られた記録紙の反対の面に印字する予定であった画像を次ページに片面印字して出力するかのいずれかをユーザが操作部上で選択することが可能である
【図面の簡単な説明】
【００２６】
【図１】本発明の排紙反転機構を有する画像形成装置の構成図
【図２】両面プリント動作を示す図
【図３】本発明の実施例２の両面プリント出力例(8ページを両面プリントで4枚出力)
【図４】本発明の実施例３の両面プリント出力例(8ページを両面プリントで4枚出力)
【符号の説明】
【００２７】
１  レジセンサ
２  レジローラ
３  画像形成部
４  画像定着部
５  排紙センサ
６  斑点センサ
７  排紙斑点センサ
８  両面ローラ１
９  両面センサ１
１０  両面ローラ２
１１  両面ローラ３
１２  両面センサ２
１３  両面センサ３
１４  給紙カセット
１５  給紙トレイ
１６  両面搬送路
【図１】
2007334077.tif 000003
【図２】
2007334077.tif 000004
【図３】
2007334077.tif 000005
【図４】
2007334077.tif 000006